(57)【要約】【課題】発電部を用いて二次電池の充電を効率よく行うことが可能な携帯電子機器及びその制御方法を提供すること。【解決手段】充電制御部８１は、紫外線センサ３１により検出される紫外線の照度が閾値Ｔ１より高い場合には、特別な制御を行うことなく、太陽電池モジュール３０により発電された電力を二次電池７１に充電するように制御する。充電制御部８１は、紫外線センサ３１により検出される紫外線の照度が閾値Ｔ２よりも低い場合には、太陽電池モジュール３０により発電された電力を二次電池７１に充電させないように制御する。【選択図】図５
2012034448.tif 000002
【特許請求の範囲】
【請求項１】
筐体と、
該筐体の外面に配設され、外部からの入射される光に基づいて光電変換により発電を行う発電部と、
前記光に含まれる紫外線の照度を検出する紫外線検出部と、
前記発電部により発電された電力を充電可能な二次電池と、
前記筐体の姿勢を検出可能な姿勢検出部と、
前記発電部により発電された前記電力が前記二次電池に充電される充電状態を制御する制御部と、
前記筐体に配設され、光源部を有する表示部及び操作部と、
前記紫外線検出部により検出される紫外線の照度及び前記姿勢検出部により検出される前記筐体の姿勢に応じて、前記充電可能な状態を判定する判定部とを備え、
前記制御部は、前記判定部により前記充電可能な状態であると判定した場合には、前記二次電池の充電を行い、前記光源部を抑制して駆動するように制御し、前記判定部により前記充電可能な状態でないと判定した場合には、前記光源部を通常駆動するように制御する携帯電子機器。
【請求項２】
所定のアプリケーションの制御を行うアプリケーション制御部を更に備え、
前記制御部は、前記アプリケーション制御部による前記所定のアプリケーションの動作状態に応じて、前記発電部により発電された電力が前記二次電池に充電される充電状態を制御する請求項１に記載の携帯電子機器。
【請求項３】
前記光源部は、前記操作部による操作に応じて発光し、
前記所定のアプリケーションは、電子メール用アプリケーション、ブラウザ用アプリケーション、カメラ用アプリケーション及びテレビジョン放送視聴用アプリケーションのいずれか一つである請求項２に記載の携帯電子機器。
【請求項４】
前記外部からの入射される光に含まれる赤外線の照度を検出する赤外線検出部を更に備え、
前記制御部は、前記紫外線検出部により検出される前記紫外線の照度及び前記赤外線検出部により検出される前記赤外線の照度に応じて、前記発電部により発電された電力が前記二次電池に充電される充電状態を制御する請求項１から３のいずれか一項に記載の携帯電子機器。
【請求項５】
外部からの入射される光に基づいて光電変換により発電を行うステップと、
前記光に含まれる紫外線の照度を検出するステップと、
発電された電力を二次電池に充電するステップと、
筐体の姿勢を検出するステップと、
検出される紫外線の照度及び検出される前記筐体の姿勢に応じて、充電可能な状態を判定するステップと、
充電可能な状態であると判定した場合には、前記二次電池の充電を行い、光源部を抑制して駆動するように制御し、充電可能な状態でないと判定した場合には、前記光源部を通常駆動するように制御するステップとを備える携帯電子機器の制御方法。
【発明の詳細な説明】
【技術分野】
【０００１】
本発明は、発電部を有する携帯電子機器及びその制御方法に関する。
【背景技術】
【０００２】
従来、携帯電話機等の携帯電子機器は、二次電池を有しており、二次電池の電力が消費された場合には、この二次電池の充電を行う必要がある。
また、近年、太陽電池等の発電部を有し、この発電部を用いて二次電池の充電を行う携帯電子機器が提案されている（例えば、特許文献１及び２参照）。
【０００３】
特許文献１に記載の携帯電子機器は、相互に直交する第１回転軸と第２回転軸とを有し、第１回転軸を中心とした筐体の回動により筐体の厚み方向の重ね合せを可能とし、第２回転軸を中心とした筐体の一方の回動により一方の筐体の表裏反転を可能とするヒンジ部と、一方の筐体の表裏一方の面に配置される光発電部と、を備えている。
【０００４】
また、特許文献２に記載の携帯電子機器は、表示部材の下側に配置された太陽電池素子と、表示部材の外周側を囲むように設けられ、外周面に微細な凹凸部が形成された枠状の光透過性部材と、光透過性部材の内部に配置された発光素子と、を備えている。
【先行技術文献】
【特許文献】
【０００５】
【特許文献１】特開２００７−０９６８４９号公報
【特許文献２】特開２００４−０５３３８１号公報
【発明の概要】
【発明が解決しようとする課題】
【０００６】
しかし、特許文献１及び２に記載の携帯電子機器では、発電に必要な光が太陽電池等の発電部に対して適切に供給されているか否かが不明であり、発電部による発電の効率が好適に行われないおそれがあった。
【０００７】
本発明は、発電部を用いて二次電池の充電を効率よく行うことが可能な携帯電子機器及びその制御方法を提供することを目的とする。
【課題を解決するための手段】
【０００８】
本発明に係る携帯電子機器は、上記課題を解決するために、筐体と、該筐体の外面に配設され、外部からの入射される光に基づいて光電変換により発電を行う発電部と、前記光に含まれる紫外線の照度を検出する紫外線検出部と、前記発電部により発電された電力を充電可能な二次電池と、前記筐体の姿勢を検出可能な姿勢検出部と、前記発電部により発電された前記電力が前記二次電池に充電される充電状態を制御する制御部と、前記筐体に配設され、光源部を有する表示部及び操作部と、前記紫外線検出部により検出される紫外線の照度及び前記姿勢検出部により検出される前記筐体の姿勢に応じて、前記充電可能な状態を判定する判定部とを備え、前記制御部は、前記判定部により前記充電可能な状態であると判定した場合には、前記二次電池の充電を行い、前記光源部を抑制して駆動するように制御し、前記判定部により前記充電可能な状態でないと判定した場合には、前記光源部を通常駆動するように制御する。
【０００９】
また、前記携帯電子機器は、所定のアプリケーションの制御を行うアプリケーション制御部を更に備え、前記充電制御部は、前記アプリケーション制御部による前記所定のアプリケーションの動作状態に応じて、前記発電部により発電された電力が前記二次電池に充電される充電状態を制御することが好ましい。
【００１０】
また、前記光源部は、前記操作部による操作に応じて発光し、前記所定のアプリケーションは、電子メール用アプリケーション、ブラウザ用アプリケーション、カメラ用アプリケーション及びテレビジョン放送視聴用アプリケーションのいずれか一つであることが好ましい。
【００１１】
また、前記携帯電子機器は、前記外部からの入射される光に含まれる赤外線の照度を検出する赤外線検出部を更に備え、前記充電制御部は、前記紫外線検出部により検出される前記紫外線の照度及び前記赤外線検出部により検出される前記赤外線の照度に応じて、前記発電部により発電された電力が前記二次電池に充電される充電状態を制御することが好ましい。
【００１２】
本発明に係る携帯電子機器の制御方法は、上記課題を解決するために、外部からの入射される光に基づいて光電変換により発電を行うステップと、前記光に含まれる紫外線の照度を検出するステップと、発電された電力を二次電池に充電するステップと、筐体の姿勢を検出するステップと、検出される紫外線の照度及び検出される前記筐体の姿勢に応じて、充電可能な状態を判定するステップと、充電可能な状態であると判定した場合には、前記二次電池の充電を行い、光源部を抑制して駆動するように制御し、充電可能な状態でないと判定した場合には、前記光源部を通常駆動するように制御するステップとを備える携帯電子機器の制御方法。
【発明の効果】
【００１３】
本発明によれば、発電部を用いて二次電池の充電を効率よく行うことが可能な携帯電子機器及びその制御方法を提供することができる。
【図面の簡単な説明】
【００１４】
【図１】本発明に係る携帯電話機の外観を示す斜視図である。
【図２】図１に示す携帯電話機を折畳んだ状態の斜視図である。
【図３】図１に示す携帯電話機の機能を示すブロック図である。
【図４】光源に対する携帯電話機の角度と、紫外線センサにより検出される紫外線の照度との関係を示すグラフである。
【図５】本実施形態の携帯電話機による太陽電池モジュールの充電状態を制御する処理について示すフローチャートである。
【発明を実施するための形態】
【００１５】
以下、本発明の実施の形態について説明する。
図１は、本発明に係る携帯電子機器の一実施形態である携帯電話機１の外観斜視図を示す。なお、以下では、携帯電話機について説明するが、本発明はこれに限定されるものではなく、例えば、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【００１６】
携帯電話機１は、操作部側筐体２と、表示部側筐体３と、を備える。操作部側筐体２は、表面部１０に、操作キー群１１と、携帯電話機１の使用者が通話時に発した音声が入力されるマイク１２と、を備える。操作キー群１１（操作部）は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
また、操作キー群１１は、各キーの背面側から光を照射する光源部としてのバックライト１１ａ（図３参照）を備えている。
【００１７】
また、表示部側筐体３は、表面部２０に、各種情報を表示するための表示部２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備える。ここで、表示部２１は、液晶パネルと、この液晶パネルを駆動する駆動回路と、この液晶パネルの背面側から光を照射する光源部としてのバックライト２１ａ（図３参照）とから構成される。
【００１８】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とが折り畳まれた状態（折畳み状態）にしたりできる。
【００１９】
なお、図１は、いわゆる折り畳み型の携帯電話機の形態を示しているが、本発明に係る携帯電話機の形態としては特にこれに限られず、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）等であっても良い。
【００２０】
また、図２は、携帯電話機１を折畳んだ状態の斜視図を示している。表示部側筐体３は、外表面部に太陽電池モジュール３０が設けられている。太陽電池モジュール３０は、例えば、外部から入射される光の受光量に基づいて発電を行う太陽電池（一段構造の多結晶Ｓｉ太陽電池）や、この太陽電池を駆動する回路等を含んで構成されており、発電により生じた電力を後述する電源回路部７２に供給する。
【００２１】
また、表示部側筐体３は、外表面部には、太陽電池モジュール３０に隣接して紫外線センサ３１と、赤外線センサ３２とが設けられている。
紫外線センサ３１は、紫外線を受光する紫外線受光部を備え、紫外線の受光量に応じた信号を制御部８０に出力する。
赤外線センサ３２は、赤外線を受光する赤外線受光部を備え、赤外線の受光量に応じた信号を制御部８０に出力する。
【００２２】
図３は、携帯電話機１の機能を示す機能ブロック図である。携帯電話機１は、図３に示すように、操作キー群１１と、表示部２１と、音声出力部２２と、紫外線センサ３１と、赤外線センサ３２と、通信部６０と、電源部７０と、制御部８０と、を備えている。
【００２３】
通信部６０は、所定の使用周波数帯により外部装置と通信を行うアンテナ６１と、変調処理又は復調処理等の信号処理を行うＲＦ回路部６２と、を備える。
【００２４】
アンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、アンテナ６１は、所定の使用周波数帯の他に、第２の使用周波数帯（例えば、２ＧＨｚ）に対応できる、いわゆるデュアルバンド対応型による構成であっても良いし、更に、第３の使用周波数帯にも対応できる複数バンド対応型により構成されていても良い。
【００２５】
ＲＦ回路部６２は、アンテナ６１によって受信した信号を復調処理し、処理後の信号を制御部８０に供給し、一方、制御部８０から供給された信号を変調処理し、アンテナ６１を介して外部装置（基地局）に送信する。
【００２６】
電源部７０は、二次電池７１と、太陽電池モジュール３０と、電源回路部７２と、を備える。二次電池７１は、例えば、リチウムイオン二次電池である。
【００２７】
電源回路部７２は、二次電池７１から供給される電源電圧を所定の電圧に変換し、変換後の電圧を通信部６０や制御部８０等に供給する。また、電源回路部７２は、二次電池７１に対して充電を実行する。
【００２８】
制御部８０は、ＣＰＵ（中央演算装置）等により構成される。
制御部８０は、充電制御部８１と、アプリケーション制御部８２と、を備える。
次に、本実施形態の携帯電話機１による太陽電池モジュール３０に係る制御について説明する。
【００２９】
図４は、光源に対する携帯電話機１の角度θと、紫外線センサ３１により検出される光の紫外線の照度との関係を示すグラフである。
なお、図４のグラフは、携帯電話機１を屋外に設置し、光源として太陽光を用いて測定を行った。また、測定された照度は、太陽光から直接入射された光だけでなく、周囲の対象物等に反射してから入射された光も含むものとする。
【００３０】
ここで、光源に対する携帯電話機１の角度θは、閉状態の携帯電話機１において、表示部側筐体３（太陽電池モジュール３０）に対して太陽光が直交して入射する場合をθ＝０°とし、θ＝０°から携帯電話機１を傾斜させた角度である。
【００３１】
図４に示すように、角度θ＝０°の場合には、照度は約０．６５［ｍＷ／ｃｍ２］となり、最も照度が高くなった。また、携帯電話機１を傾斜させると、徐々に照度は減少し、角度θ＝１８０°の場合には、照度は約０．０７［ｍＷ／ｃｍ２］となり、最も照度が低くなった。
【００３２】
このような光源に対する携帯電話機１の角度θと、紫外線センサ３１により検出される紫外線の照度との関係から、本実施形態の充電制御部８１は、紫外線センサ３１により検出される紫外線の照度に応じて、太陽電池モジュール３０により発電された電力が二次電池７１に充電される充電状態を制御する。
【００３３】
具体的には、充電制御部８１は、紫外線センサ３１により検出される紫外線の照度が閾値Ｔ１（例えば、Ｔ１＝０．５［ｍＷ／ｃｍ２］）より高い場合には、特別な制御を行うことなく、太陽電池モジュール３０により発電された電力を二次電池７１に充電するように制御する。
【００３４】
紫外線の照度が高い場合には、太陽光の照度が高く、ユーザが携帯電話機１を太陽光により充電したい状態であることが考えられる。したがって、本実施形態の携帯電話機１は、紫外線の照度が高い場合には、太陽電池モジュール３０により発電された電力を二次電池７１に充電するように制御することにより、高い効率で太陽電池モジュール３０により電力を発電することができる。
【００３５】
また、充電制御部８１は、紫外線センサ３１により検出される紫外線の照度が閾値Ｔ２（例えば、Ｔ２＝０．１［ｍＷ／ｃｍ２］）よりも低い場合には、太陽電池モジュール３０により発電された電力を二次電池７１に充電させないように制御する。すなわち、充電制御部８１は、紫外線センサ３１により検出される紫外線の照度が閾値Ｔ２よりも低い場合には、太陽電池モジュール３０による発電を停止させる。
【００３６】
紫外線の照度が低い場合には、太陽光の照度が低いことが考えられるため、この状態で太陽電池モジュール３０により電力を発電しても、発電される電力が少ないため発電の効率が低下する。したがって、本実施形態の携帯電話機１は、紫外線の照度が低い場合には、太陽電池モジュール３０により発電された電力を二次電池７１に充電させないように制御することにより、低い効率で発電することを抑制できる。
【００３７】
また、充電制御部８１は、紫外線センサ３１により検出される紫外線の照度に応じて、表示部２１のバックライト２１ａ及び操作キー群１１のバックライト１１ａが発光する際の輝度を制御する。
【００３８】
具体的には、充電制御部８１は、紫外線センサ３１により検出される紫外線の照度が閾値Ｔ１より高い場合には、バックライト２１ａ及びバックライト１１ａの輝度を通常発光する際の輝度よりも低くする。
【００３９】
また、充電制御部８１は、紫外線センサ３１により検出される紫外線の照度が閾値Ｔ１以下であり、閾値Ｔ２以上である（例えば、４５°〜１３５°、２２５°〜３１５°の場合の照度）場合には、バックライト２１ａ及びバックライト１１ａの輝度を、紫外線の照度が閾値Ｔ１より高い場合の輝度よりも低くする。
また、充電制御部８１は、紫外線センサ３１により検出される紫外線の照度が閾値Ｔ２より低い場合には、バックライト２１ａ及びバックライト１１ａの輝度を通常発光する際の輝度に維持する。また、バックライト２１ａ及びバックライト１１ａは、操作キー群１１の操作に応じて発光する。
【００４０】
紫外線センサ３１により検出される紫外線の照度が高い、又は中程度の場合には、携帯電話機１が屋外等に存在すると考えられる。このような状態では、携帯電話機１に太陽光が入射しているため、バックライト２１ａ及びバックライト１１ａの輝度を低くしても、表示部２１及び操作キー群１１の視認性が低下しにくい。
【００４１】
このように、本実施形態の携帯電話機１は、紫外線センサ３１により検出される紫外線の照度に応じて、バックライト２１ａ及びバックライト１１ａの輝度を制御するため、充電中に使用される電力を削減でき、より高い効率で充電を行うことができる。
【００４２】
また、充電制御部８１は、アプリケーション制御部８２の制御による所定のアプリケーションの動作状態に応じて、太陽電池モジュール３０により発電された電力が二次電池７１に充電される充電状態を制御する。
所定のアプリケーションとしては、電子メール用アプリケーション、ブラウザ用アプリケーション、カメラ用アプリケーション、地上波デジタル放送（いわゆるワンセグ放送）を視聴するためのテレビジョン放送視聴用アプリケーション等のユーザが操作キー群１１により操作するアプリケーションが挙げられる。
【００４３】
具体的には、充電制御部８１は、アプリケーション制御部８２の制御により所定のアプリケーションが動作していない状態では、特別な制御を行うことなく、太陽電池モジュール３０により発電された電力を二次電池７１に充電するように制御する。
【００４４】
所定のアプリケーションが動作していない状態では、ユーザが携帯電話機１を太陽光により充電したい状態であることが考えられる。したがって、本実施形態の携帯電話機１は、所定のアプリケーションが動作していない状態では、太陽電池モジュール３０により発電された電力を二次電池７１に充電するように制御することにより、高い効率で太陽電池モジュール３０により電力を発電することができる。
【００４５】
また、充電制御部８１は、アプリケーション制御部による所定のアプリケーションが動作している状態では、太陽電池モジュール３０による発電を停止させる。
【００４６】
所定のアプリケーションが動作している状態では、ユーザが太陽光による充電を望まない状態であることが考えられる。したがって、本実施形態の携帯電話機１は、所定のアプリケーションが動作している状態では、太陽電池モジュール３０による発電を停止させることにより、充電が望まれない状態で充電が行われることを抑制できる。
【００４７】
また、充電制御部８１は、紫外線センサ３１により検出される紫外線の照度及び赤外線センサ３２により検出される赤外線の照度に応じて、太陽電池モジュール３０により発電された電力が二次電池７１に充電される充電状態を制御してもよい。
【００４８】
具体的には、充電制御部８１は、紫外線センサ３１により検出される紫外線の照度が閾値Ｔ１より高い場合には、赤外線センサ３２により検出される赤外線の照度にかかわらず、特別な制御を行うことなく、太陽電池モジュール３０により発電された電力を二次電池７１に充電するように制御する。
【００４９】
また、充電制御部８１は、紫外線センサ３１により検出される紫外線の照度が閾値Ｔ１より低く、赤外線センサ３２により検出される赤外線の照度が閾値Ｔ４より高い場合には、特別な制御を行うことなく、太陽電池モジュール３０により発電された電力を二次電池７１に充電するように制御する。
【００５０】
一方、充電制御部８１は、紫外線センサ３１により検出される紫外線の照度が閾値Ｔ１より低く、赤外線センサ３２により検出される赤外線の照度が閾値Ｔ４より低い場合には、太陽電池モジュール３０による発電を停止させる。
【００５１】
ここで、携帯電話機１が屋内や自動車内等にある場合であっても、窓際等のように太陽電池モジュール３０に太陽光が充分に入射する位置に携帯電話機１が設置されている状態であれば、太陽電池モジュール３０により充電を行うことができる。しかし、例えば、窓ガラスに紫外線を遮断する部材が含まれている場合には、この部材により太陽光の紫外線が遮断されてしまい、紫外線センサ３１により検出される紫外線の照度は低くなる。
【００５２】
本実施形態の携帯電話機１は、紫外線センサ３１により検出される紫外線の照度及び赤外線センサ３２により検出される赤外線の照度に応じて、太陽電池モジュール３０により発電された電力が二次電池７１に充電される充電状態を制御する。これにより、携帯電話機１は、屋内や自動車内等に携帯電話機１が設置され、窓ガラスの紫外線を遮断する部材等により紫外線が遮断される場合であっても、赤外線の照度に応じて充電状態の制御を行うため、携帯電話機１に照射される太陽光の状態に応じて適切に充電を行うことができる。
【００５３】
また、充電制御部８１は、二次電池７１の残量を検出し、検出した二次電池７１の残量に応じて、太陽電池モジュール３０により発電された電力の二次電池７１への充電状態を制御してもよい。
【００５４】
具体的には、充電制御部８１は、二次電池７１の残量を検出し、検出した二次電池７１の残量が満充電である場合には、太陽電池モジュール３０による発電を停止させる。また、充電制御部８１は、二次電池７１の残量を検出し、検出した二次電池７１の残量がゼロに近い場合には、太陽電池モジュール３０により発電された電力を二次電池７１に充電させるように制御する。
【００５５】
図５は、本実施形態の携帯電話機１による太陽電池モジュール３０の充電状態を制御する処理について示すフローチャートである。
ステップＳ１において、制御部８０は、初期画面としての待ち受け画面を表示部２１に表示し、紫外線センサ３１により常時紫外線の検出を行わせる。
【００５６】
ステップＳ２において、制御部８０は、操作キー群１１が操作されているか否かを判定する。操作キー群１１が操作されている場合（ＹＥＳ）には、ステップＳ３へ進む。操作キー群１１が操作されていない場合（ＮＯ）には、再度ステップＳ２の処理を繰り返す。
【００５７】
ステップＳ３において、充電制御部８１は、紫外線センサ３１により検出される紫外線の照度が閾値Ｔ１より高いか否か判定する。紫外線の照度が閾値Ｔ１より高い場合（ＹＥＳ）には、ステップＳ４へ進む。紫外線の照度が閾値Ｔ１以下の場合（ＮＯ）には、ステップＳ７へ進む。
【００５８】
ステップＳ４において、充電制御部８１は、バックライト２１ａ及びバックライト１１ａの輝度を通常時よりも低くする。
【００５９】
ステップＳ５において、充電制御部８１は、所定のアプリケーションが動作しているか否かを判定する。所定のアプリケーションが動作している場合（ＹＥＳ）には、ステップＳ６へ進む。所定のアプリケーションが動作していない場合（ＮＯ）には、ステップＳ８へ進む。
【００６０】
ステップＳ６において、充電制御部８１は、太陽電池モジュール３０による発電を停止させる。
ステップＳ７において、充電制御部８１は、太陽電池モジュール３０により発電された電力を二次電池７１に充電するように制御する。
【００６１】
ステップＳ８において、充電制御部８１は、紫外線センサ３１により検出される紫外線の照度が閾値Ｔ２よりも低いか否か判定する。紫外線の照度が閾値Ｔ２よりも低い場合（ＹＥＳ）には、ステップＳ１０へ進む。紫外線の照度が閾値Ｔ２より低い、つまり紫外線の照度が閾値Ｔ１以下であり、閾値Ｔ２以上である場合（ＮＯ）には、ステップＳ９へ進む。
【００６２】
ステップＳ９において、充電制御部８１は、バックライト２１ａ及びバックライト１１ａの輝度を、紫外線の照度が閾値Ｔ１より高い場合よりも更に低くする。
ステップＳ１０において、充電制御部８１は、太陽電池モジュール３０による発電を停止させる。
【００６３】
このように、本実施形態の携帯電話機１は、紫外線の照度に応じて、太陽電池モジュール３０により発電された電力を二次電池７１に充電する充電を制御することにより、高い効率で太陽電池モジュール３０により電力を発電することができる。
【００６４】
＜他の実施形態＞
次に、本発明の携帯電子機器の他の実施形態について説明する。他の実施形態については、主として、上述した実施形態とは異なる点を説明し、上述した実施形態と同様の構成について同一符号を付し、説明を省略する。他の実施形態について特に説明しない点については、上述した実施形態についての説明が適宜適用される。
【００６５】
他の実施形態の携帯電話機１は、図３に示すように、上述した実施形態で説明した構成に加えて、姿勢検出部３３を更に備えている。
姿勢検出部３３は、表示部側筐体３の姿勢を検出可能である。姿勢検出部３３は、例えば、表示部側筐体３に設けられた３軸加速度センサにより構成され、表示部側筐体３の姿勢を検出する。
【００６６】
充電制御部８１は、紫外線センサ３１により検出される紫外線の照度及び姿勢検出部３３により検出される表示部側筐体３の姿勢に応じて、充電可能な状態を判定する。
【００６７】
具体的には、表示部側筐体３には太陽電池モジュール３０が設けられているため、充電制御部８１は、表示部側筐体３に設けられた姿勢検出部３３により検出される表示部側筐体３の姿勢が太陽光を検出可能な姿勢（図４参照）であり、かつ、紫外線センサ３１により検出される紫外線の照度が閾値Ｔ１より高い場合には、充電可能な状態であると判定する。ここで、姿勢検出部３３が３軸加速度センサにより構成される場合には、姿勢検出部３３は、表示部側筐体３と操作部側筐体２との開閉状態にかかわらず、表示部側筐体３の姿勢を検出することができる。
【００６８】
一方、充電制御部８１は、表示部側筐体３に設けられた姿勢検出部３３により検出される表示部側筐体３の姿勢が太陽光を検出可能な姿勢でない（図４参照）、又は、紫外線センサ３１により検出される紫外線の照度が閾値Ｔ１を超えない場合には、充電可能な状態でないと判定する。
【００６９】
充電制御部８１は、充電可能な状態であると判定した場合には、二次電池７１の充電を行い、バックライト１１ａ及びバックライト２１ａを抑制して駆動するように制御する。
一方、充電制御部８１は、充電可能な状態でないと判定した場合には、バックライト１１ａ及びバックライト２１ａを通常駆動するように制御する。
【００７０】
このように他の実施形態の携帯電話機１によれば、紫外線センサ３１により検出される紫外線の照度及び姿勢検出部３３により検出される表示部側筐体３の姿勢に応じて、充電可能な状態を判定することにより、充電を行いやすい条件の場合に集中して充電を行うことができるため、より高い効率で太陽電池モジュール３０により電力を発電することができる。
【００７１】
以上、本発明の実施形態について説明したが、本発明は上述した実施形態に制限されるものではなく、適宜変更が可能である。例えば、上述した実施形態では、光源部としてバックライト１１ａ及びバックライト２１ａを用いたが、本発明はこれに限らず、例えば、操作キー群１１の光源部として、操作キー群１１の隅部から光を拡散するシート状の発光部を用いてもよい。また、上述した実施形態では、制御部８０は、上述した本発明の制御を実行する場合と、通常の充電制御のみを行う場合とをユーザが設定可能な設定モードを有していてもよい。
【符号の説明】
【００７２】
１  携帯電話機（携帯電子機器）
３０  太陽電池モジュール（発電部）
３１  紫外線センサ（紫外線検出部）
３２  赤外線センサ（赤外線検出部）
８１  充電制御部（制御部、判定部）
【図１】
2012034448.tif 000003
【図２】
2012034448.tif 000004
【図３】
2012034448.tif 000005
【図４】
2012034448.tif 000006
【図５】
2012034448.tif 000007